(57)【特許請求の範囲】
【請求項１】
複数の被検者からそれぞれ取得した、当該被検者の脳波信号を取得する脳波取得部と、
前記脳波信号に基づいて、所定の周波数帯の信号成分の強度、または、複数の周波数帯における信号成分の強度間の関係を時系列で表した強度データを生成する強度データ生成部と、
前記複数の被検者のうちの二人からなるペアを全ての組み合わせについて取得し、それぞれのペアにおける、前記強度データ同士の、各時刻における相互相関係数を算出し、当該相互相関係数を時系列で表した相関データを前記ペアごとに生成する相関データ生成部と、
全てのペアについて生成された前記相関データに基づいて、前記複数の被検者全体における脳波変動の同期度を数値によって表した評価データを生成し、出力する出力部と、
を有することを特徴とする、評価装置。
【請求項２】
前記強度データ生成部は、前記強度データを複数の周波数帯ごとに生成し、
前記相関データ生成部は、前記相関データを前記複数の周波数帯ごとに生成し、
前記出力部は、前記評価データを前記複数の周波数帯ごとに生成し、出力する
ことを特徴とする、請求項１に記載の評価装置。
【請求項３】
前記所定の周波数帯は、視覚や聴覚を含む感覚刺激、または、注意の集中によって、当該周波数帯の信号成分の強度が変動する周波数帯である
ことを特徴とする、請求項１または２のいずれかに記載の評価装置。
【請求項４】
前記脳波取得部が取得する脳波信号は、前記複数の被検者に同一の映像または音声を鑑賞させながら取得した脳波信号である
ことを特徴とする、請求項１から３のいずれかに記載の評価装置。
【請求項５】
前記出力部は、さらに、複数の被検者における、前記強度データの相関の度合いを、被検者のペアごとに色相または輝度によって表した画像を時刻ごとに生成し、前記被検者に鑑賞させた映像または音声と共に動画像として出力する
ことを特徴とする、請求項４に記載の評価装置。
【請求項６】
前記出力部は、さらに、複数の被検者における、前記強度データの相関の度合いを、音程または音量の変化によって表した音声信号を生成し、前記被検者に鑑賞させた映像または音声と共に出力する
ことを特徴とする、請求項４に記載の評価装置。
【請求項７】
複数の被検者からそれぞれ取得した、当該被検者の脳波信号を取得する脳波取得ステップと、
前記脳波信号に基づいて、所定の周波数帯の信号成分の強度を時系列で表した強度データを生成する強度データ生成ステップと、
前記複数の被検者のうちの二人からなるペアを全ての組み合わせについて取得し、それぞれのペアにおける、前記強度データ同士の、各時刻における相互相関係数を算出し、当該相互相関係数を時系列で表した相関データを前記ペアごとに生成する相関データ生成ステップと、
全てのペアについて生成された前記相関データに基づいて、前記複数の被検者全体における脳波変動の同期度を数値によって表した評価データを生成し、出力する出力ステップと、
を含むことを特徴とする、評価方法。
【請求項８】
請求項７に記載の評価方法に含まれる各ステップをコンピュータに実行させるプログラム。
【発明の詳細な説明】
【技術分野】
【０００１】
本発明は、対象物を評価する装置および方法に関する。
【背景技術】
【０００２】
消費者に対して製品を広告する主な方法に、テレビコマーシャルがある。テレビコマーシャルは、１５秒や３０秒といった限られた時間で放送するものであるため、短時間の視聴でより印象に残るものが好ましいとされている。
【０００３】
制作したテレビコマーシャルを評価する方法のひとつに、一般の視聴者の中から無作為に抽出した評価者に視聴させ、主観的に評価させるという手法がある。
しかし、評価者が自らの心理状態を正確に把握したり表現したりできるとは限らない。例えば、マーケティング効果が高い映像であっても、評価者が正確にそれを自覚できるとは限らない。そのため、主観的評価だけでは公正な結果が得られないとされている。
【０００４】
映像や画像などに対する客観的な評価を行うための技術として、例えば、特許文献１に記載の評価方法がある。当該評価方法では、被検者の脳波を測定しながら、評価対象物（例えば新製品のデザイン）を被検者に見せ、測定した脳波に対してパターンマッチングを行うことで、被検者がどのような感情を抱いたかを推定する。特許文献１に記載の方法によると、被検者の主観に左右されない、より直感的な評価結果を得ることができるとされている。
【先行技術文献】
【特許文献】
【０００５】
【特許文献１】特開２００４−３４２１１９号公報
【発明の概要】
【発明が解決しようとする課題】
【０００６】
特許文献１に記載の評価方法では、被検者から取得した脳波電位のパターンと、予め記憶された複数のパターンとをマッチングさせることで、被検者の感情を推定する。しかし、人の脳波は、様々な周波数の成分が含まれたものであり、特定の感情によって特徴的な反応を示すものではない。すなわち、単純に脳電位を取得しただけでは、被検者の感情を推定することは難しいと言わざるを得ない。
【０００７】
一方で、取得した脳波に対して周波数解析を行うことで、アルファ波やシータ波といった、特定の意味を持つ信号成分の強度を取得する技術が公知となっている。しかし、当該周波数成分も、特定の感情によって絶対的なパターンが観測されるものではない。
【０００８】
本発明は上記の課題を考慮してなされたものであり、被検者から取得した脳波を用いて、対象物に対する評価を行う評価装置を提供することを目的とする。
【課題を解決するための手段】
【０００９】
本発明に係る評価装置は、複数の被検者からそれぞれ取得した、当該被検者の脳波信号を取得する脳波取得部と、前記脳波信号に基づいて、所定の周波数帯の信号成分の強度、または、複数の周波数帯における信号成分の強度間の関係を時系列で表した強度データを生成する強度データ生成部と、複数の被検者間における、前記強度データ同士の、各時刻における相互相関係数を算出し、当該相互相関係数を時系列で表した相関データを生成する相関データ生成部と、前記相関データに基づいて、前記複数の被検者における脳波変動
の同期度を表した評価データを出力する出力部と、を有することを特徴とする。
【００１０】
脳波取得部は、複数の被検者から取得した脳波信号を取得する手段である。脳波信号は、被検者に装着した脳波計から取得してもよいし、予め測定され、保存されたものを取得してもよい。脳波信号は、検出した脳電位を表すデータである。
また、強度データ生成部は、取得した脳波信号に基づいて、所定の周波数帯の信号成分の強度を表すデータ（強度データ）を生成する手段である。所定の周波数帯は、例えば、アルファ波、ベータ波、ガンマ波、シータ波にそれぞれ対応する帯域など、脳科学分野において解析に多く用いられる周波数帯であってもよいし、任意の周波数帯であってもよい。
また、例えば、アルファ帯域の強度とベータ帯域の強度の比のように、複数の周波数帯における信号成分の強度の関係を強度データとすることもできる。
【００１１】
強度データは、例えば、脳が受けた刺激、緊張度、集中の度合い等に起因して変動する。しかし、単一の強度データから被検者の状態を直接評価することは難しい。そこで、本発明に係る評価装置は、相関データ生成部が、複数の被検者間における、強度データの相関の度合いを表すデータ（相関データ）を生成する。相関データを生成することで、複数の被検者の脳波変動がどの程度同期しているかというデータを得ることができる。
【００１２】
例えば、相関データが、より強い相関を示すものである場合、被検者同士の脳波変動が同期、すなわち、強度データの波形が類似していることを意味する。
このようにして生成したデータは、対象の周波数帯に対応した評価尺度を持つデータとなる。例えば、対象の周波数帯が、被検者の集中の度合いに起因して強度が変動する周波数帯であり、強度データ同士の相関が高い場合、多くの被検者が、意識を集中させている状態であったことがわかる。
【００１３】
出力部は、生成された相関データに基づいて、被検者同士の脳波変動の同期度を時刻ごとに表したデータ（評価データ）を生成および出力する手段である。出力するデータは、複数の被検者全ての同期度を表すものであってもよいし、特定の被検者ペアの同期度を表すものであってもよい。また、出力は数値であってもよいし、画像などであってもよい。
【００１４】
このように、本発明に係る評価装置は、複数の被検者から取得した脳波信号を周波数解析し、得られた信号強度の変動が、被検者間でどの程度同期しているかに基づいて、評価結果を出力する。これにより、単一の被検者から取得した脳波からでは観測できなかった情報を得ることができる。
【００１５】
また、前記強度データ生成部は、異なる複数の周波数帯の信号成分に基づいて複数の強度データを生成し、前記相関データ生成部は、各強度データにそれぞれ対応する相関データを生成し、前記出力部は、前記複数の相関データのそれぞれに基づいて、脳波変動の同期度を表す複数の評価データを出力することを特徴としてもよい。
【００１６】
一般的に、人の脳波には異なる意味を持つ様々な周波数帯の成分が含まれるとされている。したがって、異なる複数の周波数帯の信号成分についてそれぞれ解析を行うことで、それぞれ異なる意味を持つ評価結果を得ることができる。
【００１７】
また、前記出力部は、脳波信号を取得した位置がそれぞれ異なる複数の前記相関データを用いて評価データを生成し、出力することを特徴としてもよい。
【００１８】
脳波信号は一般的に、複数の電極を用いて計測する。そこで、電極単位で相関データを生成し、これらを統合して評価データを生成するようにしてもよい。また、相関データを
統合する際には、電極ごとに重みなどを付してもよい。
【００１９】
また、前記所定の周波数帯は、視覚や聴覚を含む感覚刺激、または、注意の集中によって、当該周波数帯の信号成分の強度が変動する周波数帯であることを特徴としてもよい。
【００２０】
これにより、被検者が視聴覚などの感覚を通してどの程度の刺激を受けたか、または、惹きつけられる状態であったかを評価することができる。
【００２１】
また、前記脳波取得部が取得する脳波信号は、前記複数の被検者に同一の映像または音声を鑑賞させながら取得した脳波信号であることを特徴としてもよい。
【００２２】
本発明に係る評価装置は、映像または音声などの素材に対する客観的な評価を行う装置として好適に用いることができる。
【００２３】
また、前記出力部は、複数の被検者における、前記強度データの相関の度合いを、被検者のペアごとに色相または輝度によって表した画像を時刻ごとに生成し、前記被検者に鑑賞させた映像または音声と共に動画像として出力することを特徴としてもよい。
【００２４】
このように、強度データの相関の度合いを、被検者のペアごとに色相または輝度によって表すことで、脳波変動が同期しやすいタイミングが一目でわかるようになる。
【００２５】
また、前記出力部は、複数の被検者における、前記強度データの相関の度合いを、音程または音量の変化によって表した音声信号を生成し、前記被検者に鑑賞させた映像または音声と共に出力することを特徴としてもよい。
【００２６】
このように、音声信号を用いて、脳波変動が同期しやすいタイミングを聴覚的に通知することもできる。
【００２７】
なお、本発明は、上記手段の少なくとも一部を含む評価装置として特定することができる。また、本発明は、上記評価装置が行う評価方法として特定することもできる。上記処理や手段は、技術的な矛盾が生じない限りにおいて、自由に組み合わせて実施することができる。
【発明の効果】
【００２８】
本発明によれば、被検者から取得した脳波を用いて、対象物に対する評価を行う評価装置を提供することができる。
【図面の簡単な説明】
【００２９】
【図１】第一の実施形態に係る評価装置のシステム構成図である。
【図２】脳波信号の例である。
【図３】評価装置１００が行う処理のフローチャート図である。
【図４】評価装置１００が行う処理の第二のフローチャート図である。
【図５】評価装置１００が行う処理の第三のフローチャート図である。
【図６】ステップＳ１４２で生成されるヒストグラムの例である。
【図７】第一の実施形態において出力される評価結果の例である。
【図８】第四の実施形態において出力される評価結果の例である。
【発明を実施するための形態】
【００３０】
（第一の実施形態）
以下、本発明の好ましい実施形態について図面を参照しながら説明する。第一の実施形
態に係る評価装置１００は、取得した脳波信号に基づいて、評価対象物に対する評価を生成する装置である。また、評価装置１００が取得する脳波信号は、複数の被検者に対して評価対象物を観賞させながら計測した脳波信号である。
【００３１】
<システム構成>
図１は、第一の実施形態に係る評価装置１００のシステム構成図である。評価装置１００は、脳波取得部１１、周波数解析部１２、相関演算部１３、評価データ生成部１４、入出力部１５から構成される。
【００３２】
脳波取得部１１は、解析対象となる脳波信号を取得する手段である。脳波取得部１１が取得する脳波信号は、脳波計等の測定手段を用いて複数の被検者から取得した脳波信号である。
【００３３】
ここで、取得する脳波信号について簡単に説明する。一般的に、人の脳波を取得する際は、被検者の頭皮に複数の電極を配置し、当該複数の電極から得られた電位（脳電位）を収集する。以降、脳波信号とは、電極ごとの脳電位を表す時系列データであるものとする。
電極の配置位置は、例えば、一般的に用いられている手法である、国際１０−２０法によるものであってもよいし、他の形態であってもよい。例えば、ある特徴が特定の箇所に集中的に出現することがわかっている場合、当該特定の箇所（例えば前頭部など）に電極を集中させてもよい。
【００３４】
脳波取得部１１が取得する脳波信号は、評価対象のコマーシャル映像（以下、コンテンツ）を被検者に見せながら、脳波計を用いて予め測定されたものである。対象の脳波信号は、記憶媒体に記憶されたものを読み込んでもよいし、ネットワーク等を経由して取得してもよい。もちろん、被検者に装着された脳波計からリアルタイムに取得してもよい。
【００３５】
脳波信号は、所定の時間ごとにサンプリングされる。例えば、コンテンツが３０秒であり、サンプリング周波数が１００Ｈｚである場合、タイムステップは３０００個となる。以下、時刻という語を、コンテンツの再生開始時刻を０とした経過時間を表す語として用いる。図２は、あるコンテンツを視聴したある被検者から得られた脳波信号を、電極ごとに時系列形式で表した図である。
【００３６】
周波数解析部１２は、脳波取得部１１が取得した脳波信号に対して周波数解析を行い、所定の帯域の強度信号（本発明における強度データ）を生成する手段である。所定の帯域は、例えば、シータ波（４Ｈｚ以上８Ｈｚ未満）、アルファ波（８Ｈｚ以上１３Ｈｚ未満）など、脳科学分野において解析に多く用いられる周波数帯域から選択される。あるいは、脳波信号の性質に応じて、任意の帯域を用いてもよい。
ここで得られる強度データは、信号成分の強度を表す時系列形式のデータである。
【００３７】
相関演算部１３は、周波数解析部１２が生成した複数の強度データ間の相互相関を表すデータ（本発明における相関データ）を生成する手段である。ここで得られる相関データは、時刻ごとに算出された、強度データ間の相互相関係数を、時系列形式で表したものである。相関データの例、および詳細な算出方法については後述する。
【００３８】
評価データ生成部１４は、相関演算部１３が生成した相関データに基づいて、装置の利用者に提示する評価データ、すなわち、コンテンツの評価結果を生成する手段である。評価データの例、および詳細な算出方法については後述する。
【００３９】
以上に説明した各手段の制御は、制御プログラムをＣＰＵなどの処理装置が実行するこ
とによって実現される。また、当該制御は、ＦＰＧＡ（Field-Programmable Gate Array
）やＡＳＩＣ（Application Specific Integrated Circuit）などによって実現されても
よいし、これらの組合せによって実現されてもよい。また、専用のハードウェアによって実現されてもよい。
【００４０】
<処理フローチャート>
次に、各手段が行う具体的な処理の内容を、処理フローチャート図である図３を参照しながら説明する。図３に示した処理は、装置の利用者（オペレータ）が、解析を開始する指示を行ったタイミングで開始される。
まず、ステップＳ１１で、脳波取得部１１が、予め測定された脳波信号を取得する。ここで取得される脳波信号は、時系列形式で表された、電極および被検者ごとの、脳電位を表すデータである。本実施形態では、脳波信号をＳi,e,h(t)と表す。なお、ｉは被検者番号、ｅは電極番号、ｈはコンテンツ番号、ｔは時刻である。取得された脳波信号は、周波数解析部１２へ送信される。
【００４１】
ステップＳ１２では、周波数解析部１２が、脳波信号に対してフーリエ変換を行い、所定の周波数帯域の信号成分の強度を表すデータ（強度データ）を生成する。本実施形態では、強度データをＰＦi,e,h(t)と表す。なお、ｉ，ｅ，ｈ，ｔの意味は、脳波信号と同様である。
【００４２】
なお、本実施形態では、周波数解析手法としてフーリエ変換を用いるが、例えば、ウェーブレット変換、コンプレックスデモジュレーションなど、他の周波数解析手法を用いてもよい。
【００４３】
なお、計算速度を向上させるため、周波数解析を実施する前に、データ量を減らす処理を行ってもよい。例えば、脳波信号を、目標のサンプリングレートよりも高いサンプリングレートで取得したのち、ダウンサンプルしてもよい。例えば、１０００Ｈｚでサンプリングを行ったのち、２００Ｈｚにダウンサンプルしてもよい。
【００４４】
また、脳波信号から、思考と無関係な人体活動に起因する信号成分（アーチファクト）を検出し、キャンセルする処理を実行してもよい。脳波は、呼吸や瞬きなどの人体の活動によっても変動する。そこで、このような成分をキャンセルする処理を追加することで、精度を向上させることができる。
【００４５】
脳波からアーチファクト成分を除去する代表的な手法に、独立成分分析（以下、ＩＣＡ）がある。ＩＣＡは、多変量データを複数の加法的な成分に分離する分析手法である。これにより、取得した脳波信号を独立した複数の成分に分離し、思考、感情、感覚などに関する脳活動と無関係な成分、例えば、瞬きや体動に起因する成分を除去することができる。また、アーチファクト成分を除去した後に、逆の工程を実行して、脳波信号の再構築を行う。これにより、アーチファクト成分が低減された脳波信号を得ることができる。
【００４６】
なお、アーチファクト成分を検出する手法には、既知の手法を用いることができる。例えば、脳波信号の尖度を求めることで、瞬きなどの瞬間的な動作を検出するようにしてもよい。また、学習データなどを用いてアーチファクト成分を検出してもよい。また、アーチファクト成分が特定の電極に偏って発生する場合、電極の位置を考慮するようにしてもよい。
周波数解析部１２が生成した強度データは、相関演算部１３へ送信される。
【００４７】
ステップＳ１３では、相関演算部１３が、複数の強度データ間の相関を表す相関データを生成する。図４は、ステップＳ１３で実行される処理をより詳細に示した図である。
まず、ステップＳ１３１で、複数の被検者の組合せを生成する。例えば、被検者がｎ名であった場合、組み合わせはnＣ2通りとなる。
次に、ステップＳ１３２で、生成した組み合わせから、未処理のペアを一組選択し、対応する強度データを取得する。例えば、被検者番号が１および２であるペアが選択された場合、ＰＦ1,e,h(t)およびＰＦ2,e,h(t)が取得される。
【００４８】
次に、ステップＳ１３３で、選択中のペアに対応する相関データを算出する。具体的には、算出用の窓（単位区間）を強度データ中に設定し、当該窓をスライドさせながら、各時刻における相互相関係数を算出していく。そして、最終的に、時系列形式で表された相互相関係数の列を生成し、相関データとする。式（１）は、強度データ間の相互相関係数を算出する式である。
なお、ｉ１は一人目の被検者番号を表し、ｉ２は二人目の被検者番号を表す。また、バーが付された項は、強度の平均値である。また、ｗ＋１は窓幅を表す。
【数１】
0005799351.tif 000002
【００４９】
式（１）で算出した相関データＣＲは、被検者番号ｉ１とｉ２との間の、強度データの相関を、電極およびコンテンツごとに、時系列形式で表したものである。
【００５０】
次に、ステップＳ１３４で、全ての被検者の組合せについて前述した処理を行ったかを確認し、完了していなければ、処理をステップＳ１３２に遷移させ、次のペアを選択して処理を続行する。全ての組合せについて処理が完了した場合、ステップＳ１３の処理を終了させる。
相関演算部１３が生成した相関データは、評価データ生成部１４へ送信される。
【００５１】
図３に戻り、説明を続ける。
ステップＳ１４では、評価データ生成部１４が、算出された相関データに基づいて、コンテンツに対する評価を生成する。図５は、ステップＳ１４で実行される処理をより詳細に示した図である。
【００５２】
本実施形態に係る評価装置は、相関演算部１３が生成した相関データに基づいて、複数の被検者の脳波が同期しているかを判定し、コンテンツの評価を行う。ここで、評価精度を向上させるためには、相関演算部１３が取得した相関が、偶然得られた相関であるのか、コンテンツを視聴したことで脳波の同期が生じて得られた相関なのかを区別する必要がある。そこで、ステップＳ１４では、まず、相関演算部１３が生成した相関データに基づいて、当該判断を行うための閾値を算出する処理（ステップＳ１４１〜Ｓ１４５）を実行し、当該閾値を用いて、コンテンツを評価するデータを生成する（ステップＳ１４６）。以下、ステップＳ１４１〜Ｓ１４６で行われる処理について説明する。
【００５３】
まず、ステップＳ１４１で、相関演算部１３が生成した相関データ、すなわち、ＣＲi1,i2,e,h(t)を取得し、全データ（nＣ2×ｅ×ｈ×ｔ個のデータ。ただし、ｎは被検者数）を展開する。
【００５４】
次に、ステップＳ１４２で、展開した全ての区間の全てのデータから、ランダムに被検者のペアの数（nＣ2個）だけレコードを抽出して平均値を算出する。例えば、被検者が１５人である場合、被検者のペアは１０５組あるため、ランダムに１０５個の相互相関係数を抽出し、平均値を算出する。そして、この作業を所定の回数（例えば１０万回）だけ繰り返し、得られた平均値の頻度をヒストグラム化する。図６は、ステップＳ１４２で生成されるヒストグラムの例である。
【００５５】
次に、ステップＳ１４３で、生成したヒストグラムの上位ｘ％に対応する相互相関係数ｔｈ1を算出する。すなわち、相互相関係数がｔｈ1以下となる確率が、（１００−ｘ）％となるような値である。ｘは、例えば１％とすることができるが、他の値であってもよい。
【００５６】
以上に説明した、ステップＳ１４１〜Ｓ１４３の処理をループによって複数回行い、複数の相互相関係数（ｔｈ1，ｔｈ2，ｔｈ3…）を収集したうえで、当該複数の相互相関係
数の標準偏差が十分小さくなった時点でループを終了する（ステップＳ１４４）。最終的に、取得した複数の相互相関係数の平均値をとり、閾値ｔｈxとする（ステップＳ１４５
）。
【００５７】
ステップＳ１４６は、相関演算部１３が生成した相関データ、すなわち、ＣＲi1,i2,e,h(t)と、ステップＳ１４５で生成した閾値ｔｈxを用いて、被検者間の脳波変動の相関の
強さを表す時系列データを生成するステップである。ここで生成されるデータが、コンテンツの評価を表すデータとなる。
なお、本ステップは、特定のコンテンツについての評価を行うステップであるため、ｈは固定とする（式では省略する）。
ステップＳ１４６では、以下に説明する処理が行われる。
【００５８】
まず、対象のコンテンツについて、電極ごと、分析区間ごとに、全被検者ペアの相互相関係数の平均値を、以下の式（２）によって算出する。
【数２】
0005799351.tif 000003
【００５９】
次に、算出した平均値と、ステップＳ１４１で算出したｔｈxとの距離Δe(t)を、以下
の式（３）によって算出する。
【数３】
0005799351.tif 000004
次に、算出したΔe(t)を、以下の式（４）で表したロジスティック関数に当てはめ、Ａe(t)を算出する。なお、ｖは正の定数である（例えば、ｖ＝１，ｖ→∞）。
【数４】
0005799351.tif 000005
この結果得られたＡe(t)を、同期度データと称する。同期度データは、相関データをｔｈxに基づいて重み付けした時系列データである。Ａe(t)の取る値は、同期の度合いを表
し、値が大きいほど、強度データの変動が複数の被検者間で同期していることを意味する。
【００６０】
ステップＳ１４で算出された同期度データは、グラフ化され、入出力部１５を通して、本発明における評価データとして装置の利用者に提供される。
なお、出力する同期度データは、電極ごとのデータであってもよいし、全電極分のデータを統合したものであってもよい。また、複数の周波数帯や、周波数帯間の強度比などに対して演算を行い、得られた複数のグラフを同時に出力してもよい。図７は、周波数帯１に対応する同期度データをグラフ化したものと、周波数帯２に対応する同期度データをグラフ化したものを同時に出力した画面例である。
【００６１】
以上、説明した実施形態によると、脳波における所定の周波数成分の強さの変動が、複数の被検者間でどの程度同期しているかを数値で得ることができる。同期度が高いということは、複数の被検者が同様の反応を示したことを意味するため、これにより、コンテンツが、被検者の意識・無意識や感覚にどの程度の影響を与えるものであるかを評価することができる。例えば、対象のコンテンツが、被検者に対してどの程度のインパクトを与えるものであるか、あるいは、被検者の意識をどの程度集中させるものであるか等を数値で評価することができる。
また、対象の周波数帯を変更することで、様々な基準で評価が行えるようになる。
また、評価データとして、時系列形式のグラフを出力することで、どのタイミングで被検者が反応を示したかを知ることができる。
【００６２】
（第二の実施形態）
第一の実施形態では、時系列形式の同期度データを評価データとして出力した。これに対し、第二の実施形態は、対象のコンテンツに対する単一の評価値を算出し、評価データとして出力する実施形態である。第二の実施形態に係る評価装置のシステム構成は、第一の実施形態と同様であるため、詳細な説明は省略し、処理の相違点についてのみ説明する。
【００６３】
第二の実施形態では、ステップＳ１４６が完了した後、得られた同期度データに基づいて、コンテンツに対応する単一の評価値を算出するステップを実行する。
まず、同期度データＡe(t) に対して、電極番号ｅを固定し、タイムステップｔを変化
させながら、タイムステップごとに定義された重みを乗算し、得られた結果の総和を求める。これを、電極ごとに行う。
次に、電極番号ｅを変化させながら、先ほどの結果に対して、電極ごとに定義された重みを乗算し、得られた結果の総和を求め、最終的な評価値Ｑとする。
【００６４】
ここで得られた値Ｑが、コンテンツに対する評価値（以下、コンテンツ評価値）である。算出されたコンテンツ評価値は、入出力部１５を通して装置の利用者に提供される。
【００６５】
なお、電極ごとの重みは、電極ごとに重要度を付したい場合に利用される。例えば、特定の周波数帯に対応する脳波が特徴的に表れる部位がわかっている場合、当該部位に対する重みを大きくすることができる。もちろん、電極ごとの重みを１としてもよい。
また、タイムステップごとの重みは、タイムステップごとに重要度を付したい場合に利用される。例えば、特に視聴者に訴えたいシーンや、インパクトを持たせたいシーンがある場合、当該タイムステップに対する重みを大きくすることができる。もちろん、タイムステップごとの重みを１としてもよい。
【００６６】
なお、前述した例では、重みを乗算した後に総和を２回求めたが、総乗を用いるようにしてもよい。また、総和と総乗を１回ずつ用いるようにしてもよい。例えば、コンテンツが短いような場合、総和よりも総乗を用いたほうが、よりセンシティブに評価値を算出できる場合がある。また、評価値を４パターン（総和と総和，総和と総乗，総乗と総和，総
乗と総乗）算出したうえで、得られた４つの評価値に重み付けを行って合計することで、最終的な評価値を得るようにしてもよい。
このようにすることで、様々な性質を持つコンテンツに対して最適な評価が行えるようになる。
【００６７】
以上説明したように、第二の実施形態では、電極およびタイムステップごとに重みを付し、単一の評価値を算出する。これにより、コンテンツに対する数量的な評価値を得ることができる。
【００６８】
（第三の実施形態）
第一ないし第二の実施形態では、コンテンツに対する評価結果をグラフまたは数値によって出力した。これに対し、第三の実施形態は、被検者間の脳波変動の同期の度合いを色彩によって示す実施形態である。
【００６９】
第三の実施形態では、ステップＳ１３の処理が完了した後、ステップＳ１４の処理を省略し、ステップＳ１５へ遷移する。また、ステップＳ１５では、被検者のペアごとに、ステップＳ１３で生成した相関データに基づいて表示画面を生成する。
【００７０】
図８は、第三の実施形態において利用者に提示される画面の例である。図８に示したように、第三の実施形態では、被検者ｉ１とi２のペアを表す、Ｎ×Ｎのマトリクスを生成
したうえで、Ｎ2個のマスを用いて、該当する相互相関係数を表現する。（Ｎは被検者数
）
【００７１】
具体的には、まず、ステップＳ１３で生成した相関データ（ＣＲi1,i2,e,h(t)）に対して、複数の電極に対応する値を平均化する処理を行う。なお、ｈは固定とし、式では省略する。この結果、ＣＲi1,i2(t)が得られる。
次に、対応するペアのマスに、相互相関係数から求めた色を割り当てる。具体的には、ＣＲi1,i2(t)が負の値をとる場合に寒色系の色、正の値を取る場合に暖色系の色となるように、数値から色相への変換を行う。例えば、相互相関係数が高くなるにしたがって、濃青色、青色、淡青色、緑色、黄色、橙色、赤色、濃赤色を割り当てるようにしてもよい。
この処理を、全てのタイムステップに対して行うと、Ｎ2マス分の色相が、タイムステ
ップぶん求まる。そして、対応する画像をタイムステップごとに生成し、生成した複数の画像から動画を生成する。
なお、本実施形態では、相互相関係数を色相で表現したが、相互相関係数は輝度などによって表現してもよい。
【００７２】
第三の実施形態では、このようにして生成された動画を、被検者が視聴したコンテンツと同時に再生する。このようにすることで、脳波の変動が被検者間でどの程度同期しているのかを、視覚的に提示することが可能になる。
【００７３】
なお、図８に示したマトリクスの右上の領域と左下の領域は、共に同じ被検者のペアを表すものであるため、現れる色彩は対称なものとなるが、各領域にそれぞれ異なる情報を出力するようにしてもよい。例えば、二つの異なる周波数帯について解析を行った場合、右上に、第一の周波数帯に対応する結果を出力し、左下に、第二の周波数帯に対応する結果を出力するようにしてもよい。
【００７４】
（変形例）
上記の実施形態はあくまでも一例であって、本発明はその要旨を逸脱しない範囲内で適宜変更して実施しうる。例えば、例示した実施形態をそれぞれ組み合わせて実施してもよい。
【００７５】
また、相関データは、複数の被検者間における、強度データの波形の類似度を表すものであれば、式（１）で示した手法に限らず、どのような手法で演算されてもよい。
また、各実施形態では、相関データを被検者のペアごとに生成したが、３人以上の被検者についての情報を統合し、当該３人以上の被検者間における相関を表すデータを相関データとしてもよい。
【００７６】
また、第一ないし第二の実施形態では、同期度データに基づいて評価データを生成したが、ステップＳ１４を実行せず、コンテンツを評価する指標として、相関データを任意の方法で出力するようにしてもよい。すなわち、相関データを評価データとして出力してもよい。また、この場合、被検者のペアおよび電極ごとに生成された相関データを、任意の方法で統合するようにしてもよい。
【００７７】
また、各実施形態では、評価データをグラフや色彩によって視覚的に出力したが、音声信号を用いて出力してもよい。例えば、同期度データや相関データが有する値の大小と、音声信号の音程や音量が比例するようにしてもよい。当該音声信号を、コンテンツと同期させ、同時に再生することで、脳波の変動が被検者間でどの程度同期しているのかを、聴覚的に提示することが可能になる。
【符号の説明】
【００７８】
１００  評価装置
１１  脳波取得部
１２  周波数解析部
１３  相関演算部
１４  評価データ生成部
１５  入出力部
【要約】      （修正有）【課題】被検者から取得した脳波を用いて、対象物に対する評価を行う評価装置を提供する。【解決手段】複数の被検者からそれぞれ取得した、被検者の脳波信号を取得する脳波取得部１１と、脳波信号に基づいて、所定の周波数帯の信号成分の強度、または、複数の周波数帯における信号成分の強度間の関係を時系列で表した強度データを生成する強度データ生成部と、複数の被検者間における、強度データ同士の、各時刻における相互相関係数を算出し、相互相関係数を時系列で表した相関データを生成する相関データ生成部と、相関データに基づいて、複数の被検者における脳波変動の同期度を表した評価データを出力する出力部と、を有することを特徴とする。【選択図】図１【図１】
0005799351.tif 000006
【図２】
0005799351.tif 000007
【図３】
0005799351.tif 000008
【図４】
0005799351.tif 000009
【図５】
0005799351.tif 000010
【図６】
0005799351.tif 000011
【図７】
0005799351.tif 000012
【図８】
0005799351.tif 000013